(57)【要約】【課題】限られた床下スペースであっても該スペースを有効活用して筐体内部に充分な収納スペースを確保した耐火庫を配置でき、その設置時の位置決めを容易に行うことができ、施工の手間及びコストをより低減できる床下収納耐火庫の設置構造を提供せんとする。【解決手段】床下収納耐火庫２の耐火壁で囲まれた筐体２０内に、取出空間Ｓに対して進退自在に突出する収納トレー５を設け、筐体２０を吊下支持して所定位置Ｐ１まで移動させる案内手段３を設けるとともに、所定位置Ｐ１に移動した筐体２０を固定するための固定手段４を設け、特に、固定手段４としての固定部材４０は、梁部材１３に取り付けるための取付ネジ４１の挿通部４０ａが、閉じた状態とされた収納トレー５の前面パネル側端部５４ｂに対向する位置に開口させた。【選択図】          図１
2004346546.tif 000002
【特許請求の範囲】
【請求項１】
基礎面の上方に所定高さの隙間を介して敷設される床板に収納口を設け、該収納口下の取出空間に側方より臨む床下所定の位置に床下収納耐火庫を設置してなる床下収納システムにおいて、前記床下収納耐火庫の耐火壁で囲まれた筐体内に、前記取出空間に対して進退自在に突出する収納トレーを設け、前記筐体を吊下支持して前記所定位置まで移動させる案内手段を設けるとともに、前記所定位置に移動した筐体を固定するための固定手段を設けたことを特徴とする床下収納耐火庫の設置構造。
【請求項２】
前記収納トレーの前面パネルが、前記床下収納耐火庫の前壁を構成するとともに、前記固定手段として、前記所定位置において筐体の前後移動を阻止するための固定部材を構成し、該固定部材を床下構成部材に取り付ける取付ネジの挿通部が、閉じた状態とされた前記収納トレーの前面パネル側端部に対向する位置に開口してなり、前記収納トレーを開けた状態或いは外した状態において前記取付ネジで前記床下構成部材に固定した固定部材を、当該収納トレーが閉じた状態において取り外し不能とした請求項１記載の床下収納耐火庫の設置構造。
【請求項３】
前記案内手段を、前記所定位置の左右に設けられた前後方向に延びるガイドレールと、前記筐体の左右側壁に設けられ、前記ガイドレール上を転動する車輪とより構成し、該ガイドレール内の前端部に前記固定部材を取り付けてなる請求項２記載の床下収納耐火庫の設置構造。
【請求項４】
前記固定部材を前記車輪の軸部に係止してなり、当該筺体を前記所定位置まで移動させる際には、前記軸部に係止された固定部材を前記車輪とともにガイドレール内に挿通し、前記収納トレーを開けた状態或いは外した状態において前記固定部材を当該ガイドレール内に固定し、前記軸部を介して当該筺体の前後移動を阻止してなる請求項３記載の床下収納耐火庫の設置構造。
【請求項５】
前記筺体の側壁後端部に、前記ガイドレールの下面側に臨む当止部材を突設し、該当止部材をガイドレール下面に係止させることで、前記収納トレーを開いた際の当該筺体の前方への傾きを防止してなる請求項３又は４記載の床下収納耐火庫の設置構造。
【発明の詳細な説明】
【０００１】
【発明の属する技術分野】
本発明は、住宅やオフィス等に設置される床下収納耐火庫の設置構造に関する。
【０００２】
【従来の技術】
従来、耐火庫である金庫の床下収納システムとして、床板の収納口下に格納室を形成し、この格納室に金庫本体とこれをＸ形に交叉する各一対のリンクを介して上下方向に平行移動させる電動昇降装置とを収容したシステムが提案されている（例えば、特許文献１参照。）。また、同じく金庫の床下収納システムとして、床下の収納庫内に金庫を頑丈に取付ける取付構造が提案されている（例えば、特許文献２参照。）。
【０００３】
上記特許文献１記載の床下収納システムは、床上位置に上昇させた金庫扉を開けて物品を出し入れするものであるが、金庫を上昇させる電動昇降装置が別途必要であり、床下に充分な高さのスペースが必要であり、設備、施工のコストが増大することとなる。また、特許文献２記載の床下収納システムは、単に収納口下に金庫を取付けるものであり、収納口真下の空間のみ利用するものであって他の床下スペースを有効活用することができない。
【０００４】
これに対し、本出願人は既に、限られた床下収納スペースであっても、該スペースを有効活用して筐体内部に充分な収納スペースを確保できる床下収納耐火庫及び床下収納システムを提案している（先行出願１参照）。
しかし、この床下収納耐火庫は基礎面上を所定位置まで移動する複数の車輪を設け、当該耐火庫を自立走行させることで所定位置に収納した後、アンカーボルト等で基礎面上に固定するものであるため、施工上、当該耐火庫の位置決めが困難となることが予想される。
【０００５】
【特許文献１】
実開昭６２−１３１５８０号公報
【特許文献２】
登録実用新案第２５４２６０４号公報
【先行出願１】
特願２００２−３５０４００号
【０００６】
【発明が解決しようとする課題】
そこで、本発明が前述の状況に鑑み、解決しようとするところは、マンション等の集合住宅や戸建て住宅の二階以上の部屋のように高さが限られた床下スペースであっても、当該スペースを有効活用して筐体内部に充分な収納スペースを確保した耐火庫を配置できるとともに、その設置の際の位置決めを容易に行うことができ、施工の手間及びコストをより低減できる床下収納耐火庫の設置構造を提供する点にある。
【０００７】
【課題を解決するための手段】
本発明は、前述の課題解決のために、基礎面の上方に所定高さの隙間を介して敷設される床板に収納口を設け、該収納口下の取出空間に側方より臨む床下所定の位置に床下収納耐火庫を設置してなる床下収納システムにおいて、前記床下収納耐火庫の耐火壁で囲まれた筐体内に、前記取出空間に対して進退自在に突出する収納トレーを設け、前記筐体を吊下支持して前記所定位置まで移動させる案内手段を設けるとともに、前記所定位置に移動した筐体を固定するための固定手段を設けたことを特徴とする床下収納耐火庫の設置構造を構成した。
【０００８】
ここで、前記収納トレーの前面パネルが、前記床下収納耐火庫の前壁を構成するとともに、前記固定手段として、前記所定位置において筐体の前後移動を阻止するための固定部材を構成し、該固定部材を床下構成部材に取り付ける取付ネジの挿通部が、閉じた状態とされた前記収納トレーの前面パネル側端部に対向する位置に開口してなり、前記収納トレーを開けた状態或いは外した状態において前記取付ネジで前記床下構成部材に固定した固定部材を、当該収納トレーが閉じた状態において取り外し不能としたものが好ましい。
【０００９】
また、前記案内手段を、前記所定位置の左右に設けられた前後方向に延びるガイドレールと、前記筐体の左右側壁に設けられ、前記ガイドレール上を転動する車輪とより構成し、該ガイドレール内の前端部に前記固定部材を取り付けてなるものが好ましい実施例である。
【００１０】
更に、前記固定部材を前記車輪の軸部に係止してなり、当該筺体を前記所定位置まで移動させる際には、前記軸部に係止された固定部材を前記車輪とともにガイドレール内に挿通し、前記収納トレーを開けた状態或いは外した状態において前記固定部材を当該ガイドレール内に固定し、前記軸部を介して当該筺体の前後移動を阻止してなる構造が好ましい。
【００１１】
また、前記筺体の側壁後端部に、前記ガイドレールの下面側に臨む当止部材を突設し、該当止部材をガイドレール下面に係止させることで、前記収納トレーを開いた際の当該筺体の前方への傾きを防止してなる構造が好ましい。
【００１２】
【発明の実施の形態】
次に、本発明の実施形態を添付図面に基づき詳細に説明する。
【００１３】
図１は、本発明に係る床下収納システムの全体構成を示し、図２は同じく床下収納システムの床板を省略した平面図を示し、図３〜１０は本発明の詳細を示し、図中符号１は床下収納システム、２は床下収納耐火庫、３は案内手段、４は固定手段、５は収納トレーをそれぞれ示している。
【００１４】
床下収納システム１は、基礎面１０の上方に所定高さの隙間を介して敷設される床板１１に収納口１１ａを設け、該収納口１１ａ下の取出空間Ｓに側方より臨む床下所定の位置Ｐ１に床下収納耐火庫２を設置したものである。
【００１５】
前記収納口１１ａは平面視四角形状とされ、これを閉塞する蓋体１６が着脱自在に被せられ、その下の前記取出空間Ｓに対し当該四角形の一辺側より臨む所定位置Ｐ１に前記床下収納耐火庫２が設置されるとともに、他の三辺それぞれの側より同じく前記取出空間Ｓに臨む床下所定の位置Ｐ２、Ｐ３、Ｐ４には、それぞれ該取出空間Ｓに対して進退自在に突出する他の床下収納庫６、・・・が設けられている。
【００１６】
床板１１の支持構造は、前記収納口１１ａの四隅に対応する位置と、前記床下収納耐火庫２及び他の床下収納庫６、・・・のそれぞれの後方隅部に対応する位置に、それぞれ床板１１を支持するための支柱１２が立設され、前記四隅の支柱間を除く各支柱の上端間には、ゴム又は樹脂等の弾性部材からなる緩衝部材１４を介して各収納庫２、６、・・・の三方を囲む形に梁部材１３がそれぞれ水平に架設されている。各支柱１２は高さ調整可能なアジャスター機構を備え、各梁部材１３は互いに同一高さに配置され、その上端に床板１１が支持されており、各収納庫の上端は、前記梁部材１３の上端面と略同一高さ又は僅かに低く設定される。
【００１７】
床下収納庫６は、従来と同様のものが使用でき、本例では耐水性の合板からなる上面開口の略正方形の箱形状の収納容器からなり、各床下収納庫６、・・・の左右側面に対向する各梁部材１３の側面には、図１０に示すように、当該収納庫側面の上端近傍に軸止された車輪６１を支持するガイドレール１５が長手方向にわたって設けられ、当該床下収納庫６は、前記車輪６１と前面下端部に設けられた基礎面上を転動するキャスター６２、６２とにより支持され、取出空間Ｓに対して進退自在に突出される。
【００１８】
以下、本発明の構造を更に詳細に説明する。
【００１９】
本発明の床下収納耐火庫の設置構造Ａは、上記のような床下収納システム１において、前記床下収納耐火庫２の耐火壁で囲まれた筐体２０内に、前記取出空間に対して進退自在に突出する収納トレー５を設け、前記筐体２０を吊下支持して前記所定位置Ｐ１まで移動させる案内手段３を設けるとともに、前記所定位置Ｐ１に移動した筐体２０を固定するための固定手段４を設けたことを要旨としている。
【００２０】
特に、図２に示すように、前記収納トレー５の前面パネル５４により、前記床下収納耐火庫の前壁２１が構成されるとともに、所定位置Ｐ１において筐体２０の前後移動を阻止する固定手段４として固定部材４０が構成され、該固定部材４０は、図５に示すように、床下構成部材である梁部材１３に取り付けるための取付ネジ４１の挿通部４０ａが、図示の如く閉じた状態とされた前記収納トレー５の前面パネル側端部５４ｂに対向する位置に開口している。
したがって、当該収納トレー５を開けた状態或いは外した状態において、ドライバー等を用いて前記取付ネジ４１により固定された固定部材４０は、当該収納トレー５が閉じた状態においては、ドライバー等の使用空間が当該収納トレー５の前面パネル５４により閉塞され、梁部材１３から取り外し不能とされている。
【００２１】
前記筐体２は、正方形状の上記収納口１１ａを通じて当該耐火庫２を床下空間に取り入れることが可能な平面視矩形状の立方体形状を有しており、その前壁２１を構成する前記収納トレー５が前方に引出し可能に設けられている。前記収納トレー５は、複動式のレール装置５０により支持されて前後に引き出される引出し部で、符号５５は取っ手、５６は鍵部であり、物品等を収納或いは取り出す際にはこの収納トレー５を取出空間Ｓに引き出して行うことになる。前記レール装置５０は、図４に示すように、筐体内側面に固定された本体レール５１と、前記収納トレー５の側面に固定された移動レール５２と、両者に対してスライド自在に装着された中間レール５３とよりなり、本体レール５１から突出する中間レール５３で移動レール５２を支持することにより、取出空間Ｓに対し当該収納トレー５を大きく引き出すことが可能とされている。
【００２２】
前記収納トレー５には、図２に示すように、上面を閉塞する蓋９が設けられており、収納トレー５を引出した後、図７に示すように当該蓋９を開けることで物品等の収納或いは取出しが為される。この蓋９は、より詳しくは図８（ａ）（ｂ）にも示すように、収納トレー５の上面奥部に固定される固定板９１と該固定板９１に対して蝶番９０、９０を介して開閉自在に連結された開閉板９２とより構成され、前記固定板９１は、左右縁部に穿設された通孔９４に図示しない取付ネジを装着して前記収納トレー５の上端部に固定され、開閉板９２の先端側には、指を掛けて上方に持ち上げるための挿通穴９３が設けられている。
【００２３】
このような蓋９によれば、前記固定板９１により収納トレー５の上面奥部が閉塞され、収納の際、書類等がトレー奥側に落ちてしまうといった不測の事態が未然に回避されるのであり、これら固定板９１及び開閉板９２を連結する蝶番９０の位置は、図７に示すように、好ましくは収納トレー５を引き出して開閉板９２を持ち上げた後、該開閉板９２が３０〜８０度程度の安定した角度で収納口１１ａの縁部に保持される位置に設定させる。
このような蓋は必ずしも必要ではないが、設けておけば蓋９を閉じない限り蓋体１６を閉められないこととなって収納トレー５の閉め忘れを防止できるとともに、特に蓋９を耐火性を備えた部材で構成することにより、当該床下収納耐火庫自体の耐火性能が向上することとなる。
【００２４】
本例では、前記引出し部を構成する収納トレー５を一つのみ設けているが、同様の収納トレーを複数設けたものも好ましく、また、引出しを構成するのではなく、前面に設けた扉を開いて内部の収納トレーを引出し、物品等を出入するものであってもよい。
また、本例では、収納トレー５に金品その他の貴重品を収納する金庫を構成しているが、本発明の床下収納耐火庫は特に金庫に限定されない。
【００２５】
筐体２０を吊下支持する上記案内手段３は、図２及び図３に示すように、前記所定位置Ｐ１の左右に設けられた前後方向に延びるガイドレール３０、３０と、前記筐体２０の左右側壁２２に設けられ、前記ガイドレール３０上を転動する複数の車輪３１、・・・とより構成されている。前記ガイドレール３０は、筐体２０の左右側面の上端付近に対向する各梁部材１３の側面に付設され、当該筐体２０の上端近傍には、前記ガイドレール上を転動する車輪３、・・・が軸支されている。そして、当該床下収納耐火庫２を所定位置Ｐ１に設置する際には、ガイドレール３０上を転動することにより当該床下収納耐火庫２を吊り下げた状態で前記所定位置Ｐ１まで容易に移動させることができる。
尚、本発明の案内手段３は、このようなガイドレールと車輪からなる構造に限定されず、例えば上記収納トレー５と同様のレール装置を構成し、該レール装置により当該筐体を吊り下げ状態で前記所定位置Ｐ１まで移動させることものや、筐体側にレールを設け、各梁部材１３の側面に軸支した車輪により該レールを介して筐体を支持するものも可能である。
【００２６】
前記固定部材４０は、図５に示すように、前記車輪３１の軸部３１ａに係止される凹部４２ｂを有する係止片４２と、取付ネジ４１により梁部材１３に固定され、前端部に前記取付ネジ４１の頭部を前方から隠蔽する鉤状部を備えた断面視略コ字状の固定片４３とを連続的に屈曲形成した板状部材より構成されており、当該筺体２０を前記所定位置Ｐ１まで移動させる際には、前記軸部３１ａに係止片４２を係止させることで前記車輪３１とともにガイドレール３０内に挿通され、前記収納トレー５を開けた状態或いは外した状態において前記固定片４３を当該ガイドレール３０を介し梁部材１３に固定することで、当該固定部材４０により前記軸部３１ａを介して筺体２０の前後移動が阻止されることになる。尚、前記固定部材４０は、このような構造に何ら限定されず、例えば図６に示すように、前記固定片４３を断面視略コ字状にする代りに、取付ネジ及びドライバーを挿入する穴４３ａを設けた筒状に構成してもよく、また、係止片４２は軸部３１ａに係止されているが、その他、筐体２０の側壁２２に直接ネジ止めすることも可能である。
【００２７】
前記筺体側壁２２の後端部には、図７に示すように、前記ガイドレール３０の下面側に臨む当止部材７が突設されており、該当止部材７をガイドレール下面に係止させることで、収納トレー５を開いた際の当該筺体２０の前方への傾きが防止されている。より詳しくは、前記当止部材７は同じく側壁２２に軸止された車輪３１下部との間にガイドレール３０の厚み以上の高低差を有し、当該筐体２０を後方へ移動させる際には、ガイドレール３０下面との間に所定の隙間を維持し、該筐体２０が所定位置Ｐ１に移動したときには、後端が下方に傾斜している前記ガイドレール３０の下面に当接するように構成されており、当該筐体を後方へ移動させる際には多少の傾動を許容するとともに、所定位置Ｐ１においては前方への傾動が殆ど生じないように設定されているのである。
【００２８】
また、筐体２０の下面前端部には、左右一対のアジャスター脚８が設けられており、このアジャスター脚８は、施工の際に、前記車輪３１をガイドレール３０に載せてゆく際に当該筐体２０を略水平に保つ機能を有し、所定位置Ｐ１に配した状態では、当該筐体２０を基礎面１０上に自立させ、当該位置に安定保持させる機能を有している。尚、アジャスター脚の代りに車輪を設けることでも略水平に保つことができ、該車輪の回転をロックする機構を備えれば、所定位置Ｐ１において安定保持させることも可能である。
【００２９】
本実施形態の床下収納耐火庫２は、図９及び図１０に示すように、施工の際、床板１１を敷設した後に前記床板の収納口１１ａを通じて床下の取出空間Ｓにまず収納され、後端の車輪３１と上記当止部材７との間にガイドレール３０の前端を差込み、当該後端の車輪３１から順に複数の車輪３１をガイドレール３０に載せ、これら車輪３により当該筐体２０を吊下支持した状態で、ガイドレール３０上を前記所定位置Ｐ１まで移動させた後、上述の固定部材４０により軸部３１ａを介して前後移動を阻止し、前記アジャスター脚８を接地されることで当該位置に安定保持されるのである。固定手段４による固定後、筐体２０が移動することはなく、したがって車輪３１は基本的には使用されないが、他の床下収納庫に変更する場合など当該床下収納耐火庫２を取り出す際には、再び車輪３が使用されることになる。
【００３０】
本実施形態では、他の三辺の側にそれぞれ他の床下収納庫６、・・・を設けた例を示したが、本発明はこのような床下収納システム１に何ら限定されず、三辺のうちの二辺又は一辺の側にのみ他の床下収納庫６を設けることや、他の床下収納庫６の代りに、本発明に係る床下収納耐火庫２を更に設置したものも好ましい実施例である。一辺のみ或いは本発明の床下収納耐火庫を更に設置する場合、ガイドレール３０を対向する辺側の所定位置まで延設し、該ガイドレール３を利用して設けることが好ましい。
【００３１】
【発明の効果】
以上のように、本発明の床下収納耐火庫の設置構造によれば、案内手段により筐体を吊下支持して所定位置まで移動させた上で固定するため、位置決めを容易に行うことができ、施工の手間及びコストをより低減できる。
【００３２】
また、収納トレーの前面パネルが前壁を構成し、固定手段として筐体の前後移動を阻止する固定部材を構成し、該固定部材を床下構成部材に取り付ける取付ネジの挿通部が、閉じた状態とされた前記収納トレーの前面パネル側端部に対向する位置に開口してなり、前記収納トレーを開けた状態或いは外した状態において前記取付ネジで前記床下構成部材に固定した固定部材を、当該収納トレーが閉じた状態において取り外し不能としたので、当該床下収納耐火庫の床下からの取外しを阻止でき、セキュリティを向上させることができる。
【００３３】
また、案内手段を所定位置の左右に設けた前後方向に延びるガイドレールと、筐体の左右側壁に設けたガイドレール上を転動する車輪とより構成し、該ガイドレール内の前端部に前記固定部材を取り付けたので、ガイドレールに沿って当該筐体が自動的に位置決めされ、効率良く施工を行うことが可能となる。
【００３４】
また、固定部材を車輪軸部に係止し、当該筺体を所定位置まで移動させる際、軸部に係止された固定部材を車輪とともにガイドレール内に挿通し、収納トレーを開けた状態或いは外した状態において前記固定部材を当該ガイドレール内に固定し、前記軸部を介して当該筺体の前後移動を阻止したので、固定部材による筐体の固定を迅速かつ容易に行うことができ、施工の効率化を図ることが可能である。
【００３５】
また、筺体の側壁後端部にガイドレール下面側に臨む当止部材を突設し、該当止部材をガイドレール下面に係止させることで収納トレーを開いた際の当該筺体の前方への傾きを防止したので、収納トレーの開閉に際し、当該耐火庫を安定保持することができる。
【図面の簡単な説明】
【図１】本発明の代表的実施形態に係る床下収納システムを示す分解斜視図。
【図２】同じく床下収納システムの床板を省略した平面図。
【図３】床下に設置された床下収納耐火庫を示す正面図。
【図４】収納トレーのレール装置の要部を示す部分断面図。
【図５】筐体の固定手段の要部を示す部分断面図。
【図６】固定部材の変形例を示す断面図。
【図７】収納トレーを引出して蓋を開放した状態を示す断面図。
【図８】（ａ）は、収納トレーの蓋を示す側面図。
（ｂ）は、同じく平面図。
【図９】床下収納耐火庫を取出空間から後方へ移動させる様子を示す断面図。
【図１０】床下収納耐火庫を所定位置に設置した状態を示す断面図。
【符号の説明】
１  床下収納システム
２  床下収納耐火庫
３  案内手段
４  固定手段
５  収納トレー
６  床下収納庫
７  当止部材
８  アジャスター脚
９  蓋
１０  基礎面
１１  床板
１１ａ  収納口
１２  支柱
１３  梁部材
１４  緩衝部材
１５  ガイドレール
１６  蓋体
２０  筐体
２１  前壁
２２  側壁
３０  ガイドレール
３１  車輪
３１ａ  軸部
４０  固定部材
４０ａ  挿通部
４１  取付ネジ
４２  係止片
４２ｂ  凹部
４３  固定片
４３ａ  穴
５０  レール装置
５１  本体レール
５２  移動レール
５３  中間レール
５４  前面パネル
５４ｂ  側端部
５５  取っ手
５６  鍵部
６１  車輪
６２  キャスター
９０  蝶番
９１  固定板
９２  開閉板
９３  挿通穴
９４  通孔
Ｐ１、Ｐ２、Ｐ３、Ｐ４  位置
Ａ  設置構造
Ｓ  取出空間
【図１】
2004346546.tif 000003
【図２】
2004346546.tif 000004
【図３】
2004346546.tif 000005
【図４】
2004346546.tif 000006
【図５】
2004346546.tif 000007
【図６】
2004346546.tif 000008
【図７】
2004346546.tif 000009
【図８】
2004346546.tif 000010
【図９】
2004346546.tif 000011
【図１０】
2004346546.tif 000012